(57)【特許請求の範囲】
【請求項１】
コンクリートセグメントコーナー部が保護部材で保護されたコンクリートセグメントにおいて、
一枚の金属製平板材から形成された、コンクリートセグメントコーナー形態をなしてコンクリートセグメントコーナー部の各直交する３面をそれぞれカバーする板状の本体部および各平板の端部から、コンクリートセグメント内方に向けて延びて配設されるアンカーから形成された保護部材が用いられ、
各平板の表面がコンクリートセグメントのセグメントの表面と面一とされて露出し、３方から延びるアンカー部がコンクリートセグメントを包み込んで把持して、コンクリートセグメントコーナー部を３方面に亘って全面的に覆って配設され、露出した保護部材がコンクリートセグメントコーナー部に固定され、セグメントコーナーを形成することを特徴とするコンクリートセグメント。
【請求項２】
請求項１に記載されたコンクリートセグメントにおいて、各アンカー部には、先端部にアンカー部長手方向に対して直角方向で、隣接するアンカー部方向に延びる引っ掛け端部が形成されたことを特徴とするコンクリートセグメント。
【請求項３】
請求項１又は２のいずれかに記載されたコンクリートセグメントにおいて、保護部材が、コンクリートセグメントの端部端面の４隅のいずれにも配設されたことを特徴とするコンクリートセグメント。
【請求項４】
請求項１から３のいずれかに記載されたコンクリートセグメントにおいて、保護部材が、コンクリートセグメントの端部端面の４隅の内のコンクリートセグメントの端部の端面上に対向する２隅に配設され、この間に配設された平板が、コンクリートセグメントに面一に、２隅間のコンクリートセグメント稜線を覆うようにして配設されたことを特徴とするコンクリートセグメント。
【請求項５】
請求項１から４のいずれかに記載されたコンクリートセグメントに用いられる保護部材において、一枚の金属製平板材から形成された保護部材が、コンクリートセグメントコーナー形態をなしてコンクリートセグメントコーナー部の各直交する３面をそれぞれカバーする板状の本体部と、各平板の端部から、コンクリートセグメント内方に向けて延びて配設されるアンカーとから形成されたことを特徴とする保護部材。
【請求項６】
請求項５に記載された保護部材おいて、各アンカー部には、先端部にアンカー部長手方向に対して直角方向に延びる引っ掛け端部が形成されたことを特徴とする保護部材。
【発明の詳細な説明】
【技術分野】
【０００１】
本発明は、コンクリートセグメントおよびこれに用いられる保護部材に関する。
【背景技術】
【０００２】
互いに接合することで繋がるコンクリートセグメントは、コンクリート材どうしを直接接合させるものであり、取扱時や接合時に他物に衝突したり、あるいは施工後に大きな曲げを受けた時に、コンクリートコーナー部が欠けたり、コンクリートコーナー部にクラックが生じたりする。また、最近認識されたコンクリートセグメントの損傷には、耐用年数に至ったコンクリートセグメントが脆くなって自然に少しずつ崩れて生じるということがある。
【０００３】
互いに接合することで繋がるコンクリートセグメントを、コンクリートセグメントコーナー部が損傷されることが少ないものとするための保護部材およびこの保護部材を配設したコンクリートセグメントが提案される。
【０００４】
また、高速施工と継手合理化を追求した突合せ継手構造セグメントが各種提案されている。
【０００５】
特許文献１には、コンクリートセグメントのコーナー部の外形に沿う形状の保護金具が提案されていて、鋳型による一体成型を可能とするためにアンカー部を同一方向に連設下構造が記載されている。
【先行技術文献】
【特許文献】
【０００６】
【特許文献１】特開平５−２５６０９５号公報
【発明の概要】
【発明が解決しようとする課題】
【０００７】
接合するコンクリートセグメントに保護部材を取り付けてコンクリートセグメントのコーナー部を保護する場合に、１）コンクリートセグメントのコーナー部に簡単に取り付けられ、取り付け後にコーナー部から抜け落ちない構造とすること、２）コンクリート流し込みを妨げることなく、コンクリートセグメント成形後において、保護部材取り付けのないコンクリートセグメントと外面が殆ど同様になっていて、コーナーの損傷防止が耐用年数使用による損傷にも対応すること出来て完全になされること、および３）安価に製造することが出来ることが求められる。
【０００８】
特許文献１に記載された保護部材およびこの保護部材を取り付けたコンクリートセグメントでは、保護部材が側面にのみ配設されること、鋳型製作によるものであるので、アンカー部の取り付けが１方向に限られ、長年の使用による損傷、取付け方向の抜けに不安があること、コストが高価になることなどが考えられ、また耐用年数使用による損傷に対応することが困難である。
【０００９】
本発明は、かかる点に鑑み１）コンクリートセグメントのコーナー部に簡単に取り付けられ、取り付け後にコーナー部から抜け落ちない構造とすること、２）コンクリート流し込みを妨げることなく、コンクリートセグメント成形後において、保護部材取り付けのないコンクリートセグメントと外面が殆ど同様になっていて、コーナーの損傷防止が耐用年数使用による損傷にも対応すること出来て完全になされること、および３）安価に製造することが出来るコンクリートセグメントおよびこれに用いられる保護部材を提供することを目的とする。
【課題を解決するための手段】
【００１０】
本発明は、コンクリートセグメントコーナー部が保護部材で保護されたコンクリートセグメントにおいて、
金属製平板材から形成され、コンクリートセグメントコーナー形態をなしてコンクリートセグメントコーナー部の各直交する３面をそれぞれカバーする板状の本体部と、各平板の端部から、コンクリートセグメント内方に向けて延びて配設されるアンカーとから形成された保護部材が用いられ、
各平板の表面がコンクリートセグメントのセグメントの表面と面一とされて露出し、３方から延びるアンカー部がコンクリートセグメントを包み込んで把持して、コンクリートセグメントコーナー部を３方面に亘って全面的に覆って配設され、露出した保護部材がコンクリートセグメントコーナー部に固定され、セグメントコーナーを形成することを特徴とするコンクリートセグメントを提供する。
【００１１】
本発明は、コンクリートセグメントコーナー部が保護部材で保護されたコンクリートセグメントにおいて、
一枚の金属製平板材から形成された、コンクリートセグメントコーナー形態をなしてコンクリートセグメントコーナー部の各直交する３面をそれぞれカバーする板状の本体部および各平板の端部から、コンクリートセグメント内方に向けて延びて配設されるアンカーから形成された保護部材が用いられ、
各平板の表面がコンクリートセグメントのセグメントの表面と面一とされて露出し、３方から延びるアンカー部がコンクリートセグメントを包み込んで把持して、コンクリートセグメントコーナー部を３方面に亘って全面的に覆って配設され、露出した保護部材がコンクリートセグメントコーナー部に固定され、セグメントコーナーを形成することを特徴とするコンクリートセグメントを提供する。
【００１２】
本発明は、上述されたコンクリートセグメントにおいて、各アンカー部には、先端部にアンカー部長手方向に対して直角方向で、隣接するアンカー部方向に延びる引っ掛け端部が形成されたことを特徴とするコンクリートセグメントを提供する。
【００１３】
本発明は、上述されたコンクリートセグメントにおいて、保護部材が、コンクリートセグメントの端部端面の４隅のいずれにも配設されたことを特徴とするコンクリートセグメントを提供する。
【００１４】
本発明は、上述されたコンクリートセグメントにおいて、保護部材が、コンクリートセグメントの端部の端面上に対向する２隅に配設され、この間に配設された平板が、コンクリートセグメントに面一に、２隅間のコンクリートセグメント稜線を覆うようにして配設されたことを特徴とするコンクリートセグメントを提供する。
【００１５】
本発明は、上述されたコンクリートセグメントに用いられる保護部材において、保護部材が、一枚の金属製平板材から形成され、コンクリートセグメントコーナー形態をなしてコンクリートセグメントコーナー部の各直交する３面をそれぞれカバーする板状の本体部と、各平板の端部から、コンクリートセグメント内方に向けて延びて配設されるアンカーとから形成されたことを特徴とする保護部材を提供する。
【００１６】
本発明は、上述された保護部材おいて、各アンカー部には、先端部にアンカー部長手方向に対して直角方向に延びる引っ掛け端部が形成されたことを特徴とする保護部材を提供する。
【発明の効果】
【００１７】
本発明は、上述した保護部材用い、各平板の表面がコンクリートセグメントのセグメントの表面と面一とされて露出し、３方から延びるアンカー部がコンクリートセグメントを包み込んで把持して、コンクリートセグメントコーナー部を全面的に覆って配設され、露出した保護部材がコンクリートセグメントコーナー部に固定され、セグメントコーナーを形成するようにしているので、１）コンクリートセグメントのコーナー部に簡単に取り付けられ、取り付け後にコーナー部から抜け落ちない構造とすること、２）コンクリート流し込みを妨げることなく、コンクリートセグメント成形後において、保護部材取り付けのないコンクリートセグメントと外面が殆ど同様になっていて、コーナーの損傷防止が耐用年数使用による損傷にも対応すること出来て完全になされること、および３）安価に製造することが出来るコンクリートセグメントおよびこれに用いられる保護部材を提供することができる。
【図面の簡単な説明】
【００１８】
【図１】本発明の実施例の形態を示す図。
【図２】本発明の実施例の詳細な形態を示す図。
【図３】保護部材を形成する部材を板材から打抜いた状態を示す図。
【図４】加工して形成された保護部材の形態を示す斜視図。
【図５】図４に示された保護部材１０を上方から見た図。
【図６】ひとつのアンカー２０についての端部形状詳細を示す図。
【図７】前方側方から見た図。
【図８】右手側方から見た図。
【図９】裏側から見た図。
【図１０】コンクリートセグメント収納容器の形態を示す概略図。
【図１１】本実施例の代案になる保護部材の形態を示す斜視図。
【発明を実施するための形態】
【００１９】
以下、本発明の実施例を図面に基づいて説明する。
【実施例】
【００２０】
図１は、本発明の実施例であるトンネル用のコンクリートセグメント１００の形態を示す。本実施例は、トンネル用以外の用途のコンクリートセグメントも対象とされるが、以下トンネル用のコンクリートセグメント（以下、コンクリートセグメントという）
を採り上げて説明する。
【００２１】
コンクリートセグメント１００は、よく知られているようにセグメント本体１は、内面部２、外面部３、第１端面部４、第２端面部５を有して、トンネルの横断面形状に合わせて湾曲板状に生成される。セグメント本体１には、隣接するセグメント本体に向けたトンネルの軸方向および周方向の第１端面部４、第２端面部５に、隣接するセグメント本体に向けて第１連結部６、第２連結部７がそれぞれ設けてある。コンクリートセグメントの構造については、特開平５−３９７００号公報その他の公報に詳細に記載されている本実施例は、このようなコンクリートセグメントが、セグメントコーナー部８において後述する特徴のある保護部材１０が設置されていることを特徴としている。
【００２２】
図１にあっては、保護部材がコンクリートセグメント１００の８つの隅のコーナー部に設けられた形態を示しているが、８つ全てのコーナー部に設ける必要はない。特にコーナー損傷を受け易いのは、内面部２の隅の４つのコーナー部であり、これらの４つのコーナー部に本実施例の保護部材と設置するのが効果的である。一つの隅であってもよい。
【００２３】
図２は、内面部２の隅の４つのコーナー部に保護部材１０を取り付けた例を示す。図では上下の２か所に保護部材１０と取り付けた例を示している。
【００２４】
図２に示す保護部材１０を取り付けたコンクリートセグメント１００およびコンクリートセグメントの組み立てを説明する前に、この保護部材１０について説明する。
【００２５】
図３は、金属製の板材から打抜かれた、曲げ加工前の保護部材１０を示す。このように、保護部材１０は、一枚の金属製平板材の設定された一定枠９０を持つ金属製板材から板材を最大限に使用するようにして効率よく形成される。保護部材１０は、この一定枠９０内から全てに部分がはみ出ないように設計され、加工実施される。
【００２６】
図３において、保護部材１０は、各直交する３面１１，１２，１３を備える。３面は、コーナーの３面に対応する。
【００２７】
中央面１１の側方に側面１２，１３が一定の幅を有して一体的に形成され、この段階では３方向に飛び出た半島状の形をなし、端面１４，１５，１６は中央部が直線状とされている。３面の中央は、Ｏ点であり、２面，１２，１３の端面１６、１７からＯ点に向けて切除された形状の切除部１８が形成される。この切除部１８は、点線２１〜２３に沿って曲げ加工する時に曲げを許容するように作用する。
【００２８】
端面１４，１５，１６には、各外端部に外方に向けてのアンカー部２５が、一定枠９０を超えることなく形成してある。アンカー部２５は、端面１４，１５，１６にそれぞれ２個形成してあって、２個で一つのアンカー２０となる。したがって、６つのアンカー部２５Ａ〜２５Ｆが形成され、３つのアンカー２０が形成される。図に示すように、それぞれのアンカー部２５Ａ〜２５Ｆは、端面１４，１５，１６から直角から大きめの角度方向の外方に向けて延びるように形成される。したがって、組となる２つのアンカー部２５Ａ，２５Ｂ、および２５Ｃ、２５Ｄ、および２５Ｅ，２５Ｆは、それぞれ広がり方向の配置となり、隣接するアンカー部２５Ａ、２５Ｃ、および２５Ｂ、２５Ｅ，および２５Ｆ，２５Ｄはそれぞれ配置角度が広角方向とされる。
【００２９】
各アンカー部２５には、先端部にアンカー部長手方向に対して直角方向で、隣接するアンカー部方向に延びる引っ掛け端部２６（２６Ａ〜２６Ｆ）が形成される。このような形状とすることによって、隣接するアンカー部２５Ａ、２５Ｃ、および２５Ｂ、２５Ｅ，および２５Ｆ，２５Ｄの引っ掛け端部２６はそれぞれ対向した配置になる。この形状は、後述するコンクリートで保護部材１０を固定した時に、保護部材１０は、しっかりとコンクリートに把持されることになる。これによって、いずれの方向から保護部材１０の抜け作用が働いても保護部材１０がコンクリートセグメント本体１から抜け出ることがない。
【００３０】
３面構成とすることで、コンクリートセグメントコーナー部は、この３面によって覆われることになる。コンクリートセグメントコーナー部を３面で覆うことで、衝突による損傷ばかりでなく、耐用年数に至って発生する自然損傷も防止することが出来るようになる。
【００３１】
３面１１，１２，１３の中央部には、端面１４，１５，１６に向けてそれぞれ曲げ線が設定される。この曲げ線を点線２１、２２，２３で示す。各アンカー部２６の根元部となる端面１４，１５，１６にもそれぞれ曲げ線が設定される。これらの曲げ線を点線２７（２７Ａ〜２７Ｆ）で示す。
【００３２】
軽量化を図るために、またコンクリートの流し込みをよくするために３面１１，１２，１３のそれぞれの間には切除空間部３１、３２、３３，３４を形成したが、軽量化、流し込み時間については問題にされず、加工工数を減らしたい場合のようなコンクリートセグメント製作の時には、切除空間を設けなくてもよい。切除空間部を設けない時には、３面１１，１２，１３は、ほぼ４辺形をなす。この場合にあっても切除空間部８は、設けることになる。絞り加工を採用すれば、図９に示される曲げ用空間部４５が必要なくなる。この場合に、コンクリートの流し込み時における空気抜き穴をコーナー近辺に設けておくのがよい。
【００３３】
図４は、点線２１〜２３および点線２７（２７Ａ〜２７Ｆ）に沿って直角に曲げて保護部材１０を形成した図を示す。切除部１８を設けることなく、曲げ加工するようにしてもよい。あるいは絞り加工によって各直交する３面を形成することが出来る。絞り加工後にアンカー部を曲げ加工する。
【００３４】
図４に示す例において、各直交する３面は、上方に向いた面１１がコンクリートセグメント１の板厚方向の面、右方向に向いた面１２がコンクリートセグメント１の円周方向の面、左方向を向いた面１３が切羽側と坑口側のコンクリートセグメント積層側の面とすると、例えば面１１の長さは、６ｍｍに設定され、面１２，１３の長さは６−１２ｍｍに設定される。このように、面１２，１３の長さは、面１１の長さに比べて長くすることで、コンクリートセグメントコーナーばかりでなく、その周辺の保護もよりよく行うことが出来る。
【００３５】
図１１は、図４に示す保護部材１０の代案を示す例である。
【００３６】
図４に示す例にあっては、一枚の金属製平板材を用いてこの金属製平板材を打抜き等の加工、更にアンカー２０を曲げ加工して保護部材１０を作成しているが、図１１に示す例では、一枚の金属製平板材を用いてこの金属製平板材を打抜き等の加工することは同じであるが、アンカー２０の作成方法を変えている。アンカー２０となる部材は、一枚の金属製平板材を用いるのではなく、別体の、例えば丸棒、角材を用いて溶接、圧着等の機械接着より加工された金属製平板材に、アンカー２０Ｘの角度を前者と同様にして付設することができる。
【００３７】
図１１に示す例にあっては、小径のボルト材２０Ｘを使用している。小径のボルト材は安価にたやすく手に入れることが出来、別体にしても製造コストを抑えることが出来る。
【００３８】
各一本の小径のボルト材２０Ｘが各面１１，１２，１３の突端部分にアンカー２０と同様の方向に向けて溶接により取り付けられる。溶接部を２７Ｘで示す。小径のボルト材２０Ｘのボルト頭２６Ｘは、引っ掛け端部２６と同様の働きをなし、保護部材１０がコンクリートセグメントにしっかりと固定される作用をなす。
【００３９】
以下の説明では、推奨される図４に示す保護部材１０を採用した場合について説明するが、本実施例には、図１１に示す例が含まれ、図４に示す例に限定されない。
【００４０】
図５は、図４に示された保護部材１０を上方から見た図、図６は、ひとつのアンカー２０についての端部形状詳細を示す図、図７は、前方側方から見た図、図８は、右手側方から見た図、そして図９は、裏側から見た図を示す。図１において、θの角度は、コンクリートセグメントの構造に対応して、９０°、９４．５°あるいは８５．５°が選定され、設定されることを示す。図６に示すように、アンカー部２５の端部角度の典型的な角度は、６０°であり、先端を結ぶ線が下側アンカー部となす角度が８５°であることを示す。また、図９に示すように、曲げ加工のために面１２と面１３との間に曲げ用空間部４５が形成される。曲げ用空間部４５の角度は、４５°であることを示す。曲げ用空間部４５の幅は、曲げ加工を許容する範囲でさらに狭くされてもよい。おの曲げ加工のために形成された曲げ用空間部４５は、コンクリート流し込みの時に、コーナー部における空気抜き空間としての機能を併せ持つ。すなわち、曲げ用空間部を空気抜き空間部あるいは空気抜き穴を称することができる。このような空気抜き空間部あるいは空気抜き穴を設けておくとでコンクリートを隅端まで流し込むことが出来る。
【００４１】
これらの図において、Ｏ点を中心として３面１１，１２，１３が直交して３方向に延びた形態となる。各平板の端部から、コンクリートセグメント内方に向けて延びて配設されるアンカーとから形成された保護部材１０が形成される。すなわち直交して３方向に延びた形態の３面１１，１２，１３とコンクリートセグメント内方に向けて曲げられ、延びて配設される組のアンカー部２５によって形成されたアンカー２０とから保護部材１０が形成される。
【００４２】
保護部材１０は、図３に示すように、それぞれのアンカー部２５Ａ〜２５Ｆは、端面１４，１５，１６から直角から大きめの角度方向の外方に向けて直線的にあるいは湾曲して延びるように形成される。組となる２つのアンカー部２５Ａ，２５Ｂ、および２５Ｃ、２５Ｄ、および２５Ｅ，２５Ｆは、それぞれ広がり方向の配置とされる。隣接するアンカー部２５Ａ、２５Ｃ、および２５Ｂ、２５Ｅ，および２５Ｆ，２５Ｄは、それぞれ配置角度が広角方向とされる構造によって３つのアンカー２０は、１方向ではなく、３方向配置であって先端が互いに近接する方向の配置になる。この配置構造は、アンカー２０の周囲にコンクリートが流し込まれたときに、コンクリートを抱きかかえて内包する形状を示す。６つのアンカー部２５について観察する時、この配置構造は、アンカー部２５の周囲にコンクリートが流し込まれたときに、コンクリートを抱きかかえて内包する形状を示すことになることになり、よりしっかりと把持できる。そして、各アンカー部２５には、先端部にアンカー部長手方向に対して直角方向で、隣接するアンカー部方向に延びる引っ掛け端部２６（２６Ａ〜２６Ｆ）が形成され、これらの引っ掛け端部２６（２６Ａ〜２６Ｆ）は、アンカー２０とは異なった方向に延び、アンカー２０のコンクリートへの引っ掛け機能を発揮する。引っ掛け端部２６は、片方ではなく、双方向に延びるように形成してもよい。
【００４３】
アンカー部２５Ａと２５Ｂ，２５Ｃと２５Ｄ、２５Ｅと２５Ｆとの間に空間部４１、４２、４３が形成されることになる。これらの空間部４１，４２，４３は、コンクリート流し込む時のコンクリート流し込み空間となって、コンクリート流し込みに有利に作用する。
【００４４】
この実施例では、各面の端部にそれぞれ２つずつアンカー部２５を形成してアンカー２０としたが、それぞれ１つずつのアンカー部２５を形成してアンカー２０としても３つのアンカー２０は、それぞれ異なる方向に向いた配置であって、コンクリートを抱きかかえた構造を提供するので、十分に実用に供し得る。
【００４５】
一枚の金属製平板材から形成され、コンクリートセグメントコーナー部の各直交する３面をそれぞれカバーする平板からなり、コンクリートセグメントコーナー形態をなす本体部を有し、各平板には、内方に曲げられた形状の２本のアンカー部が延び、これらのアンカー部間にコンクリート材流し込み時にコンクリート材が流過する空間部が形成されたアンカーが形成された保護部材１０が提供される。
【００４６】
上述した例では、図４において、図３に示す点線２７に沿って直角に折り曲げたが、直角でなくてもコンクリートによる把持構成を形成することが出来る。
【００４７】
本例では、一枚の板によって保護部材１０を形成したが、Ｏ点付近にコンクリートに向かって延在することが出来る他のアンカーを溶接で付加するようにしてもよい。
【００４８】
図１０は、コンクリートセグメント１００の製造方法を示す。
【００４９】
図１０において、コンクリートセグメント１００を製造するために、コンクリートセグメント収容容器５０が準備される。コンクリートセグメント収容容器５０は、図１に示すコンクリートセグメントの形状に対応した形状をして湾曲した形状となる。コンクリートセグメント収容容器５０は、適宜設計され、コンクリートセグメントが固形化した時に分解され、コンクリートブロックを取りだされるようになる。このような分解構造はよく知られている。
【００５０】
コンクリートセグメント収容用に５０の底面の４隅に保護部材１０が設置される。
【００５１】
保護部材１０が設置されると、コンクリートが流し込まれる。その際に、第１連結部６、第２連結部７が設置される。外面側にも保護部材１０を設けるような場合には、所定量のコンクリートを流し込んで４隅に保護部材１０を設置することを行う。
【００５２】
図２に戻って、コンクリートセグメント１００の内側面の隅に保護部材１０を設置した図を示す。
【００５３】
図２において、各平板の表面１１，１２，１３がコンクリートセグメント１のセグメント本体１の表面と面一とされて露出し、３方から延びるアンカー２０がコンクリートセグメントを包み込んで把持して、コンクリートセグメントコーナー部を３方面に亘って全面的に覆って配設され、露出した保護部材１０がコンクリートセグメントコーナー部に固定され、セグメントコーナーを形成する。ここでは、保護部材１０の下側に位置したコンクリートセグメントのコーナーをコンクリートセグメントコーナー部と称する。このコンクリートセグメントコーナー部を保護部材１０が覆ってコンクリートセグメントコーナーが形成される。すなわちコンクリートセグメントコーナーが保護部材１０によって形成されるという特徴がある。コンクリートセグメントのコーナー部は、直接的に外面に露出しない。露出するのは、保護部材１０となる。図２に示されるように、コンクリートセグメントコーナー部は、３面１１，１２，１３によって完全に覆われ、取扱時や接合時に他物に衝突したり、あるいは施工後に大きな曲げを受けた時に、コンクリートコーナー部が欠けたり、コンクリートコーナー部にクラックが生じたりすることがない。長年の所要によっても損傷しない。
【００５４】
特に、損傷し易いコンクリートセグメントの内側面のコーナーが当該保護部材によって保護される。
【００５５】
図２に点線で示すように、保護部材１０が、コンクリートセグメントの端部の端面上に対向する２隅に配設され、この間に配設された平板７０が、いずれかの面１１，１２，１３が延長して製作され、コンクリートセグメントに面一にして、２隅間のコンクリートセグメント稜線を覆うようにして配設されてもよい。この場合に、平板７０の一部を加工し、アンカーを形成するようにしてもよい。このようにすることで、コーナーの損傷防止ばかりでなく、コンクリート瀬具面ロ稜線の耐用年数使用による損傷にも対応することができ、トンネル内の安全確保に大きな力を発揮することになる。
【００５６】
本実施例によれば、上述した保護部材用い、各平板の面１１，１２，１３の表面がコンクリートセグメントのセグメントの表面と面一とされて露出し、３方から延びるアンカー部がコンクリートセグメントを包み込んで把持して、コンクリートセグメントコーナー部を全面的に覆って配設され、露出した保護部材がコンクリートセグメントコーナー部に固定され、セグメントコーナーを形成するようにしているので、１）コンクリート流し込みを妨げることなく、コンクリートセグメント成形後において、保護部材取り付けのないコンクリートセグメントと外面が殆ど同様になっていて、コーナーの損傷防止が耐用年数使用による損傷にも対応すること出来て完全になされること、および３）安価に製造することが出来るコンクリートセグメントおよびこれに用いられる保護部材を提供することができる。
【符号の説明】
【００５７】
１…セグメント本体、１０…保護部材、１１，１２，１３…３面、１４、１５，１６…端面、２０，２０Ｘ…アンカー、２５（２５Ａ〜２５Ｆ）…アンカー部、２６（２６Ａ〜２６Ｆ）…引っ掛け部、１８…切り欠け部、…２１，２２，２３，２７…折り曲げ線、１００…コンクリートセグメント。
【要約】
【課題】１）コンクリートセグメントのコーナー部に簡単に取り付けられ、取り付け後にコーナー部から抜け落ちない構造とすること、２）コンクリート流し込みを妨げることなく、コンクリートセグメント成形後において、保護部材取り付けのないコンクリートセグメントと外面が殆ど同様になっていて、コーナーの損傷防止が完全になされること、および３）安価に製造することが出来る。
【解決手段】一枚の金属製平板材から形成され、コンクリートセグメントコーナー形態をなしてコンクリートセグメントコーナー部の各直交する３面をそれぞれカバーする板状の本体部と、各平板の端部から、コンクリートセグメント内方に向けて延びて配設されるアンカーとから形成された保護部材が用いられる。
【選択図】図４【図１】
0005590694.tif 000002
【図２】
0005590694.tif 000003
【図３】
0005590694.tif 000004
【図４】
0005590694.tif 000005
【図５】
0005590694.tif 000006
【図６】
0005590694.tif 000007
【図７】
0005590694.tif 000008
【図８】
0005590694.tif 000009
【図９】
0005590694.tif 000010
【図１０】
0005590694.tif 000011
【図１１】
0005590694.tif 000012